(57)【要約】【課題】使用者の把持状態を自動で判断し、使用されている際の姿勢に応じて適正な表示設定を行うことが可能で、操作性に優れた表示装置、表示処理方法及び撮像装置を提供する。【解決手段】表示装置は、第１の方向と該第１の方向に対して垂直な第２の方向とに規定される表示面を有する表示部と、表示面への接触を検出するタッチパネルと、表示面に前記タッチパネルによって入力が可能な入力部を表示する表示制御部と、表示面の周縁部に沿って複数並べて設けられた検出ブロックと、を備え、表示制御部が、検出ブロックによって接触を検出した際に、連続して並んでいる複数の検出ブロックを１個のグループとし、グループの数と、グループを構成する複数の検出ブロックの並び方に応じて、表示面の第１の方向を縦にした状態で入力部を表示する第１表示モード、又は、表示面の第１の方向を横にした状態で入力部を表示する第２表示モードに設定する。【選択図】図５
2010213169.tif 000002
【特許請求の範囲】
【請求項１】
第１の方向と該第１の方向に対して垂直な第２の方向とに規定される表示面を有する表示部と、
前記表示面への接触を検出するタッチパネルと
前記表示面に前記タッチパネルによって入力が可能な入力部を表示する表示制御部と、
前記表示面の周縁部に沿って複数並べて設けられた検出ブロックと、を備え、
前記表示制御部が、前記検出ブロックによって接触を検出した際に、連続して並んでいる複数の前記検出ブロックを１個のグループとし、前記グループの数と、前記グループを構成する複数の前記検出ブロックの並び方に応じて、前記表示面の前記第１の方向を縦にした状態で前記入力部を表示する第１表示モード、又は、前記表示面の前記第１の方向を横にした状態で前記入力部を表示する第２表示モードに設定する表示装置。
【請求項２】
請求項１に記載の表示装置であって、
前記表示制御部が、前記入力部の位置を前記グループの位置に近づける表示装置。
【請求項３】
請求項１又は２に記載の表示装置であって、
前記表示制御部が、前記表示部の前記検出ブロックが設けられている位置を除く領域に前記入力部を表示する表示装置。
【請求項４】
請求項１又は２に記載の表示装置であって、
前記検出ブロックによる検出時に、前記表示部の前記検出ブロックが設けられている位置では、前記タッチパネルによる入力を禁止する表示装置。
【請求項５】
請求項１から４のいずれか１つに記載の表示装置であって、
前記グループを構成する複数の検出ブロックの、前記表示部の前記第１の方向に並んでいる数と、前記第２の方向に並んでいる数とに基づいて使用者の把持している手の状態を判定する表示装置。
【請求項６】
請求項１から５のいずれか１つに記載の表示装置であって、
前記グループが１個の場合には、使用者が片手で把持している状態と判定し、前記グループが２個の場合には、使用者が両手で把持している状態と判定し、前記グループが３個以上の場合には、検出が無効であると判定する表示装置。
【請求項７】
請求項６に記載の表示装置であって、
使用者が両手で把持している状態と判定した場合に、同じ前記入力部を、２個のグループのそれぞれの位置の近傍に表示する表示装置。
【請求項８】
請求項１から７のいずれか１つに記載の表示装置であって、
前記表示制御部が、前記表示部を前記第１表示モード又は前記第２表示モードに変更した後、次の変更までの間、表示設定を保持する表示装置。
【請求項９】
請求項１から８のいずれか１つに記載の表示装置であって、
前記グループの数と、前記グループを構成する複数の前記検出ブロックの並び方に応じて、使用者の把持状態を判定し、この判定に基づいて、前記入力部おける入力検出の対象となる基準を変更する表示装置。
【請求項１０】
第１の方向と該第１の方向に対して垂直な第２の方向とに規定される表示面を有する表示部と、
前記表示面への接触を検出するタッチパネルと
前記表示面に前記タッチパネルによって入力が可能な入力部を表示する表示制御部と、
前記表示面の周縁部に沿って複数並べて設けられた検出ブロックと、を備えた表示装置の表示処理方法であって、
前記検出ブロックによって接触を検出した際に、連続して並んでいる複数の前記検出ブロックを１つのグループとし、前記グループの数と、前記グループを構成する複数の前記検出ブロックの並び方に応じて、前記表示面の前記第１の方向を縦にした状態で前記入力部を表示する第１表示モード、又は、前記表示面の前記第１の方向を横にした状態で前記入力部を表示する第２表示モードに設定する表示処理方法。
【請求項１１】
請求項１０に記載の表示処理方法であって、
前記表示制御部が、前記入力部の位置を前記グループの位置に近づける表示処理方法。
【請求項１２】
請求項１０又は１１に記載の表示処理方法であって、
前記表示制御部が、前記表示部の前記検出ブロックが設けられている位置を除く領域に前記入力部を表示する表示処理方法。
【請求項１３】
請求項１０から１２のいずれか１つに記載の表示処理方法であって、
前記検出ブロックによる検出時に、前記表示部の前記検出ブロックが設けられている位置では、前記タッチパネルによる入力を禁止する表示処理方法。
【請求項１４】
請求項１０から１３のいずれか１つに記載の表示処理方法であって、
前記グループを構成する複数の検出ブロックの、前記表示部の前記第１の方向に並んでいる数と、前記第２の方向に並んでいる数とに基づいて使用者の把持している手の状態を判定する表示処理方法。
【請求項１５】
請求項１０から１４のいずれか１つに記載の表示処理方法であって、
前記グループが１個の場合には、使用者が片手で把持している状態と判定し、前記グループが２個の場合には、使用者が両手で把持している状態と判定し、前記グループが３個以上の場合には、検出が無効であると判定する表示処理方法。
【請求項１６】
請求項１５に記載の表示処理方法であって、
使用者が両手で把持している状態と判定した場合に、同じ前記入力部を、２個のグループのそれぞれの位置の近傍に表示する表示処理方法。
【請求項１７】
請求項１０から１６のいずれか１つに記載の表示処理方法であって、
前記表示制御部が、前記表示部を前記第１表示モード又は前記第２表示モードに変更した後、次の変更までの間、表示設定を保持する表示処理方法。
【請求項１８】
請求項１０から１７のいずれか１つに記載の表示処理方法であって、
前記グループの数と、前記グループを構成する複数の前記検出ブロックの並び方に応じて、使用者の把持状態を判定し、この判定に基づいて、前記入力部おける入力検出の対象となる基準を変更する表示処理方法。
【請求項１９】
請求項１から９のいずれか１つに記載の表示装置を備えた撮像装置。
【発明の詳細な説明】
【技術分野】
【０００１】
本発明は、表示装置、表示処理方法及び撮像装置に関する。
【背景技術】
【０００２】
デジタルカメラや携帯電話等の小型の電子機器には、使用者に情報を表示するためのＬＣＤなどの表示部を備えた表示装置が設けられている。また、最近では、表示装置にタッチパネルが設けられた構成も知られている。このような表示装置では、使用者がタッチパネルに直接手指でタッチすることで、表示部に表示された情報に基づいた各種の操作や設定などを入力することができる。
【０００３】
特許文献１は、タッチパネル式情報処理装置に関する。このタッチパネル式情報処理装置は、予め入力されたオペレータの指等の大きさの情報に応じて、タッチパネルに位置する表示器に表示される入力範囲を変更して表示する。
【０００４】
特許文献２は、タッチパネルを備えた入力装置に関する。この入力装置は、タッチパッドにタッチされた指の種類を認識し、タッチされた指の種類に応じて操作項目の少なくとも一つを入力する。
【０００５】
特許文献３は、タッチパネルに関する。このタッチパネルは、タッチ入力した指の接触した面積の大きさが入力部分の表示面積よりも大きい際は、入力部分の表示面積を大きくする。
【０００６】
特許文献４は、タッチパネルを備えた入力装置に関する。この入力装置は、所定の位置に置かれたユーザの手を検知したとき、表示装置に表示する入力受付ボタンを、ユーザの手を検知しない場合に比べて所定の位置に近づけて表示する。
【０００７】
特許文献５は、モニタ付カメラに関する。このモニタ付カメラは、タッチパネルによって把持状態を判断し、画像を縮小表示する。こうすることで、撮影者の手によって画像が覆い隠されることなく、画像全体を確認できる。
【０００８】
特許文献６は、ディスプレイ付き撮像装置に関する。この撮像装置は、撮影モードと画像再生モードとで、表示画面の表示モードを切り換える制御を行う。
【０００９】
特許文献７は、タッチパネルを備えた撮像装置に関する。この撮像装置は、タッチパネルへの入力の有無を検出し、横位置の撮影か縦位置の撮影かを判断する。また、この判断に基づいて、撮影時には横位置用シャッターボタン又は縦位置用シャッターボタンのいずれかを有効にし、誤作動を防止する。
【００１０】
特許文献８は、タッチパネルを備えた撮像装置に関する。この撮像装置は、指がタッチパネルに接触した位置の接触信号と、姿勢センサの姿勢検知信号とに基づいて、ディスプレイの表示が切り替えられる。
【先行技術文献】
【特許文献】
【００１１】
【特許文献１】特開平６−８３５３７号公報
【特許文献２】特開２００７−７２５７８号公報
【特許文献３】特開２００７−３２８４２１号公報
【特許文献４】特開２００８−１２９６８９号公報
【特許文献５】特開平１１−２８９４８４号公報
【特許文献６】特開２００６−１６６２４８号公報
【特許文献７】特開２００６−２２２９００号公報
【特許文献８】特開２００７−３００３５３号公報
【発明の概要】
【発明が解決しようとする課題】
【００１２】
上記特許文献１から５に記載されている構成では、指によるタッチパネルへの接触の有無やその接触場所などを検出しているが、タッチした使用者がどのような姿勢で入力を行っているかを判断するものではない。デジタルカメラや携帯電話などでは、使用時の状態に応じて表示部を縦長又は横長の向きとなるように把持して使用することが考えられる。この際に、表示部に表示される情報が向きにあっていないため操作性が良くなかった。
【００１３】
上記特許文献６の撮像装置では、画面の長手方向が装置本体の長手方向と一致するように配置したディスプレイを備え、かつ、片手で操作することを前提としており、両手で操作することを想定していない。
【００１４】
上記特許文献７の撮像装置は、横位置の撮影と縦位置の撮影とで表示部の表示を切り替えることを想定していない。
【００１５】
上記特許文献８の撮像装置は、タッチパネルの所定の部位において接触の有無を検出するものの、接触が右手か左手かを自動で判断することはできない。このため、検出した接触がどのような状態で接触しているものなのか（例えば、手の指の向きなど）を判定することが不可能であった。例えば使用の際に撮像装置を把持する手を右手から左手に変えた場合には、表示部の表示設定を適切な向きに変更することが困難な場合があり、改善の余地があった。
【００１６】
そこで、本発明は、使用者の把持状態を自動で判断し、使用されている際の姿勢に応じて適正な表示設定を行うことが可能で、操作性に優れた表示装置、表示処理方法及び撮像装置を提供する。
【課題を解決するための手段】
【００１７】
本発明の表示装置は、第１の方向と該第１の方向に対して垂直な第２の方向とに規定される表示面を有する表示部と、
前記表示面への接触を検出するタッチパネルと
前記表示面に前記タッチパネルによって入力が可能な入力部を表示する表示制御部と、
前記表示面の周縁部に沿って複数並べて設けられた検出ブロックと、を備え、
前記表示制御部が、前記検出ブロックによって接触を検出した際に、連続して並んでいる複数の前記検出ブロックを１個のグループとし、前記グループの数と、前記グループを構成する複数の前記検出ブロックの並び方に応じて、前記表示面の前記第１の方向を縦にした状態で前記入力部を表示する第１表示モード、又は、前記表示面の前記第１の方向を横にした状態で前記入力部を表示する第２表示モードに設定する。
【００１８】
また、本発明は、第１の方向と該第１の方向に対して垂直な第２の方向とに規定される表示面を有する表示部と、
前記表示面への接触を検出するタッチパネルと
前記表示面に前記タッチパネルによって入力が可能な入力部を表示する表示制御部と、
前記表示面の周縁部に沿って複数並べて設けられた検出ブロックと、を備えた表示装置の表示処理方法であって、
前記検出ブロックによって接触を検出した際に、連続して並んでいる複数の前記検出ブロックを１つのグループとし、前記グループの数と、前記グループを構成する複数の前記検出ブロックの並び方に応じて、前記表示面の前記第１の方向を縦にした状態で前記入力部を表示する第１表示モード、又は、前記表示面の前記第１の方向を横にした状態で前記入力部を表示する第２表示モードに設定する。
【００１９】
上記表示装置及び表示処理方法によれば、表示面の周縁部に設けられた複数の検出ブロックが接触を検出し、接触を検出した検出ブロックからなるグループの数と検出ブロックの並び方に応じて、表示面がどのように把持されているかを判定する。検出ブロックからなるグループの数と検出ブロックの並び方に基づくと、略長方形の表示面のどこの縁部にどのような領域で接触が行われているかがわかることから、使用者の手指の把持のパターンと対応させることで、把持状態を判定できる。このとき、グループの数に基づいて、使用者が片手で把持しているのか両手で把持しているのかを判定することができる。また、検出ブロックの並び方に基づいて、検出ブロックが並んでいる方向に手指の接触している領域が延びているとすれば、その形状などから接触している手が右手又は左手かを判定できる。判定された把持状態に基づいて、表示面に表示される入力部の向きを適宜設定することができる。こうすれば、使用者は、自身で把持する方の右左などを予め設定しておく必要がなく、また、両手での把持状態についても適正に検出されるため、把持状態に応じて自動的に表示面の入力部が設定される。したがって、表示装置を取り扱う際の操作性が優れている。
【発明の効果】
【００２０】
本発明によれば、使用者の把持状態を自動で判断し、使用されている際の姿勢に応じて適正な表示設定を行うことが可能で、操作性に優れた表示装置、表示処理方法及び撮像装置を提供できる。
【図面の簡単な説明】
【００２１】
【図１】表示装置を適用した撮像装置の構成を示すブロック図である。
【図２】図１の撮像装置の正面側の外観を示す図である
【図３】図１の撮像装置の背面側の外観を示す図である。
【図４】表示面を平面視した状態を模式的に示す図である。
【図５】接触検出の方法を説明する図である。
【図６】接触の検出パターンを示す図である。
【図７】他の検出パターンを示す図である。
【図８】他の検出パターンを示す図である。
【図９】接触検出の手順を説明するフロー図である。
【図１０】表示面における入力部の表示パターンを示す図である。
【図１１】表示面における入力部の表示パターンの変形例を示す図である。
【図１２】表示面の入力判定を変更する例を示す図である。
【発明を実施するための形態】
【００２２】
以下、本発明の一実施形態を説明するための表示装置について説明する。以下では、表示装置の一例としてデジタルカメラなどの撮像装置に備えられた構成例を説明する。表示装置としては、デジタルカメラに限らず、デジタルビデオカメラ等の他の撮像装置や、携帯電話機に備えられたものであってもよい。
【００２３】
図１は、撮像装置の構成の一例を示すブロック図である。図２は、撮像装置の正面側の外観を示す図である。図３は、撮像装置の背面側の外観を示す図である。
【００２４】
撮像装置１０は、被写体を撮像する撮像部として機能するＣＣＤ型の固体撮像素子１２を備えている。撮像装置１０は、固体撮像素子１２の光軸方向前方に撮像レンズ１３と、絞り（アイリス）１４とを備えている。
【００２５】
撮像装置１０は、固体撮像素子１２の出力信号（画像信号）をアナログ信号処理するＣＤＳＡＭＰ（相関二重サンプリング（ＣＤＳ）、利得制御増幅器（ＡＭＰ））１６と、ＣＤＳＡＭＰ１６の出力信号をデジタル信号に変換するアナログデジタル（Ａ／Ｄ）変換器１８とを備えている。
【００２６】
撮像装置１０は、更に、Ａ／Ｄ変換器１８でデジタル化された画像信号を取り込む画像入力コントローラ２２と、撮像装置１０の全体を統括制御する制御手段（ＣＰＵ）２０と、画像信号を画像処理して画像を生成する画像信号処理回路２４と、固体撮像素子１２から出力されるスルー画像（シャッタボタンが押されていない状態で固体撮像素子１２から出力される画像信号に基いて生成された画像）を解析して焦点位置を自動検出するＡＦ検出回路４２と、スルー画像から露出量，ホワイトバランスを検出するＡＥ＆ＡＷＢ検出回路４４と、画像処理用のメモリとして使用するＳＤＲＡＭ４６及びＶＲＡＭ４８と、画像処理後の画像をＪＰＥＧ画像やＭＰＥＧ画像に圧縮する圧縮処理回路２６と、撮像装置の筐体表面に設けられ、画像を画面に表示する表示部５４と、表示部５４に画像やスルー画像を表示するビデオエンコーダ２８と、記録メディア５６に画像を記録するメディアコントローラ５２と、バックアップ電源６４と、バックアップを行う際のメモリとして機能するＳＲＡＭと、フラッシュメモリ６６とを備えている。またこれらを相互接続するバスとを備える。
【００２７】
また、撮像装置１０は、表示部５４に設けられたタッチパネルの検出や、検出に基づいて、表示部５４に表示されるタッチパネルによる入力が可能な入力部の表示の設定の変更や保持を制御する表示制御部６０を備えている。
【００２８】
撮像装置１０は、更に、固体撮像素子１２の駆動タイミングパルス（電子シャッタパルス、読み出しパルス、転送パルス等）を供給するタイミングジェネレータ３２と、撮影レンズ１３のフォーカスレンズ位置を駆動するモータに駆動パルスを供給するレンズ駆動モータドライバ３３と、絞り１４の絞り位置制御を行なう駆動モータに駆動パルスを供給する絞り駆動モータドライバ３４とを備えている。タイミングジェネレータ３２、レンズ駆動モータドライバ３３、絞り駆動モータドライバ３４は、ＣＰＵ２０からの指令に基いて動作する。
【００２９】
撮像装置１０は、更に、シャッタボタンの入力によって撮像を行なう撮像モードと、シャッタボタンの入力によって撮像した画像を再生し、表示部５４に表示する再生モードとを切り換えるスイッチ３６を備えている。スイッチ３６を操作することによって操作信号がＣＰＵ２０に入力される。
【００３０】
図２に示すように、撮像装置１０の正面側に撮影レンズ１３を含む光学ユニットが設けられている。図３に示すように、正面側に対して反対側に位置する背面側にユーザが撮像装置１０を把持した状態で視認することができるように表示部５４の画面が設けられている。
【００３１】
表示部５４は、図３に示すように、平面視において略長方形の表示面を備えている。表示部５４は、表示面への接触を検出するタッチパネルを備えた構成である。なお、表示部５４に形成される表示面は、略長方形に限定されず、例えば、第１の方向と該第１の方向に垂直な第２の方向とに規定される形状であれば、正方形などの形状に変更可能である。
【００３２】
表示面には、タッチパネルによって入力が可能な入力部が視覚的に表示される。入力部には、撮像装置１０の操作や設定に対応する視覚的な表示情報が割り当てられている。使用者は、表示面に表示された入力部の表示情報を視認し、該入力部に直接手を接触させることで、接触した入力部の表示情報に応じた所望の操作や設定を入力することができる。例えば、撮影モード時には、表示面に撮影画像の画素サイズを設定するため「ピクセル」や、連続撮影機能を実行するための「連写」や、ＩＳＯ感度を設定するための「感度」や、撮影を実行する「レリーズ」などが入力部として表示される。撮影モード時には、表示面に入力部の表示と同時に、スルー画像が表示される。また、再生モード時には、撮影画像を表示する「画像再生」や、撮影画像を削除する「画像削除」などが入力部として表示される。
【００３３】
タッチパネルの構成は、例えばアナログ抵抗膜方式とすることができる。アナログ抵抗膜方式では、表示面の表面側に設けられたＰＥＴなどの透明フィルムとガラス基板とが隙間を隔てて平行に配置され、透明フィルムとガラス基板との対向する面のそれぞれに透明導電膜（例えばＩＴＯ）が形成されている。ユーザが指を画面に接触させた際に、指で押圧された部分の透明フィルム側及びガラス基板側の透明導電膜同士が接することで電気が通電し、この電気を情報として出力することで接触を認識することができる。なお、タッチパネルの構成は特に限定されない。
【００３４】
図４に示すように、表示部５４には、使用者の手などによる接触を検出するため、表示面の周縁部に沿って、検出ブロックＡが複数並べて設けられている。周縁部とは、表示面の周囲の４辺のうち一対の長辺近傍と一対の短辺近傍を含み、また、長辺と短辺とが交わる４つの隅部も含む。
【００３５】
複数の検出ブロックＡは、それぞれ均等な略正方形を有する領域で、互いに独立してタッチパネルによる接触の検出が可能で、接触に応じて検出信号を出力する。複数の検出ブロックＡには、それぞれ表示面の周縁部に対してどこに位置するものかを示す位置情報が予め割り当てられている。
【００３６】
検出ブロックＡは、表示面の長辺の方向に直線状に並べられた数と、短辺の方向に並べられた数は、表示部のサイズや検出ブロックＡの個別の面積に応じて決定され、特に限定されない。本構成例では、表示面の長辺の方向をＸ方向とし、短辺の方向を該Ｘ方向に垂直なＹ方向とした。表示面をＸ−Ｙ平面とした場合に、複数の検出ブロックＡは、ＸＹ座標を用いてその位置を表すことができる。このＸＹ座標を用いて複数の検出ブロックＡをそれぞれ識別してもよい。ここで、表示面に対する方向の規定は、Ｘ−Ｙ座標に限定することを意味するものではなく、例えば、第１の方向と、該第１の方向に対して垂直な第２の方向としてもよい。
【００３７】
なお、複数の検出ブロックＡは、表示面には視覚的に表示される必要はない。しかし、表示面の表示を阻害しない範囲で、複数の検出ブロックＡ又はそれらの領域を示す情報を表示してもよい。
【００３８】
撮像装置１０は、使用者が撮影や他の操作を行う際に、両手又は片手によって把持される。このとき、表示面を自身の視界正面に配置させた状態で、表示面の長辺が鉛直方向（図４を参照すると矢印Ｙ方向）に対して略平行となるように把持した状態を、表示面を縦長にした状態という。また、表示面を自身の視界正面に配置させた状態で、表示面の長辺が水平方向（図４を参照すると矢印Ｘ方向）に対して略平行となるように把持した状態を、表示面を横長にした状態という。ここでは、表示面の長辺と短辺とによってその方向を規定したが、表示面の形状にかかわらず、第１の方向と該第１の方向に対して垂直な第２の方向としてもよい。このとき、第１の方向が第２の方向よりも長い場合には、表示面の第１の方向を縦にした状態を縦長にした状態とし、表示面の第１の方向を横にした状態を横長にした状態としてもよい。
【００３９】
次に、図５に基づいて、複数の検出ブロックを用いた接触の検出を説明する。
図５（ａ）では、一例として、表示面を横長にした状態で、撮像装置が把持されている場合を示している。ここで、使用者は、右手で表示部５４の表示面における周縁部の一部を把持している。このとき、図５（ｂ）に示すように、把持された領域に含まれる検出ブロックＡが、右手による接触を検出する。なお、図５（ｂ）では、接触を検出した検出ブロックＡを他の検出ブロックＡと区別するために四角内に×印を付して示しているが、実際に表示面に視覚的に表示されることを意味するものではない。接触を検出した検出ブロックＡを図５（ｃ）に示す。
【００４０】
図５（ｃ）に示すように、接触を検出した際に、連続して並んでいる複数の検出ブロックＡ１，Ａ２，Ａ３，Ａ４を１個のグループとする。ここで、表示面のＸ−Ｙ方向に基づくと、検出ブロックＡ１，Ａ２，Ａ３が矢印Ｙ方向に並んでおり、検出ブロックＡ３，Ａ４が矢印Ｘ方向に並んでいる。検出ブロックＡ３は、表示面の周縁部の隅部に相当する位置に配置されたものである。このように、検出ブロックＡ１〜Ａ４は、検出ブロックＡ３を角とする略Ｌ字状の並び方を有するグループである。
【００４１】
また、他に接触を検出した検出ブロックで構成された他のグループの有無を判定する。図５に示す例では、他にグループがないため、検出ブロックＡ１〜Ａ４で構成されたグループの１個のみであるとする。
【００４２】
上述のように、検出ブロックからなるグループの数と検出ブロックの並び方に基づくと、略長方形の表示面のどこの周縁部にどのような領域で接触が行われているかがわかる。そして、接触の領域と、使用者の手指の把持のパターンと対応させることで、把持状態を判定できる。
【００４３】
図５に示す例では、接触の領域は、表示面の右下の隅部を含み、かつ、Ｘ方向よりＹ方向に長い。このような領域は、使用者が右手（具体的にはその親指）で略長方形の表示部に対して向かって右手側の短辺に沿って把持するパターンに対応する。このため、上記のようなグループの数と検出ブロックの並び方では、使用者が撮像装置を右手のみで表示部の短辺に沿って把持している把持状態であると判定できる。なお、グループの数と検出ブロックの並び方に対応する把持状態は、予め設定されたものや使用者の意図に沿って変更可能としてもよく、限定されるものではない。
【００４４】
図６から図７は、把持状態と、該把持状態に応じて接触が検出される領域のパターンを示すものである。各図には、タッチされている領域と、そのときのグループとが示されている。なお、図中、撮像装置は図示せず省略しており、表示部５４と検出ブロックＡの位置のみを示している。
【００４５】
図６（ａ）に示す例では、使用者が、左手ＬＦを表示面の左下の隅部と一方の短辺に沿って接触させ、右手ＲＦを表示面の右下の隅部と他方の短辺に沿って接触させるように把持している。このとき、２個のグループが検出される。各グループの構成としては、Ｘ方向に２個並んだ検出ブロックとＹ方向に３個並んだ検出ブロックとで構成されたグループである。この例では、グループの数が２個で且つ図６（ａ）に示す検出ブロックの並び方の場合に、使用者が、表示部を横長にした状態で、両手で把持していると判定する。
【００４６】
図６（ｂ）に示す例では、使用者が、右手ＲＦを表示面の右下の隅部と一方の短辺に沿って接触させるように把持している。このとき、１個のグループが検出される。グループの構成としては、Ｘ方向に２個並んだ検出ブロックとＹ方向に３個並んだ検出ブロックとで構成されたグループである。この例では、グループの数が１個で且つ図６（ｂ）に示す検出ブロックの並び方の場合に、使用者が、表示部を横長にした状態で、右手のみで把持していると判定する。
【００４７】
図６（ｃ）に示す例では、使用者が、左手ＬＦを表示面の左下の隅部と一方の短辺に沿って接触させるように把持している。このとき、１個のグループが検出される。グループの構成としては、Ｘ方向に２個並んだ検出ブロックとＹ方向に３個並んだ検出ブロックとで構成されたグループである。この例では、グループの数が１個で且つ図６（ｃ）に示す検出ブロックの並び方の場合に、使用者が、表示部を横長にした状態で、左手のみで把持していると判定する。
【００４８】
図６（ｄ）に示す例では、使用者が、左手ＬＦを表示面の右下の隅部と一方の長辺に沿って接触させ、右手ＲＦを表示面の右上の隅部と他方の長辺に沿って接触させるように把持している。このとき、２個のグループが検出される。各グループの構成としては、Ｘ方向に３個並んだ検出ブロックとＹ方向に２個並んだ検出ブロックとで構成されたグループである。この例では、グループの数が２個で且つ図６（ｄ）に示す検出ブロックの並び方の場合に、使用者が、表示部を縦長にした状態で、両手で把持していると判定する。
【００４９】
図６（ｅ）に示す例では、使用者が、右手ＲＦを表示面の右上の隅部と一方の長辺に沿って接触させるように把持している。このとき、１個のグループが検出される。グループの構成としては、Ｘ方向に２個並んだ検出ブロックとＹ方向に３個並んだ検出ブロックとで構成されたグループである。この例では、グループの数が１個で且つ図６（ｅ）に示す検出ブロックの並び方の場合に、使用者が、表示部を縦長にした状態で、右手のみで把持していると判定する。
【００５０】
図６（ｆ）に示す例では、使用者が、左手ＬＦを表示面の右下の隅部と一方の長辺に沿って接触させるように把持している。このとき、１個のグループが検出される。グループの構成としては、Ｘ方向に３個並んだ検出ブロックとＹ方向に２個並んだ検出ブロックとで構成されたグループである。この例では、グループの数が１個で且つ図６（ｆ）に示す検出ブロックの並び方の場合に、使用者が、表示部を縦長にした状態で、左手のみで把持していると判定する。
【００５１】
図７（ａ）に示す例では、使用者が、右手ＲＦ（又は左手ＬＦ）を表示面の一方の短辺に接触させるように把持している。このとき、１個のグループが検出される。グループの構成としては、Ｙ方向に２個並んだ検出ブロックのみで構成されたグループである。ここでは、検出ブロックの並びがＹ方向のみで且つＹ方向の長さも短いことから、短辺の方向に対して略垂直に交わるように片手のいずれかの指を表示面に接触させていると考える。この例では、グループの数が１個で且つ図７（ａ）に示す検出ブロックの並び方の場合に、使用者が、表示部を縦長にした状態で、片手（右手又は左手）で把持していると判定する。
【００５２】
図７（ｂ）に示す例では、使用者が、右手ＲＦ（又は左手ＬＦ）を表示面の一方の長辺に接触させるように把持している。このとき、１個のグループが検出される。グループの構成としては、Ｘ方向に２個並んだ検出ブロックのみで構成されたグループである。ここでは、検出ブロックの並びがＸ方向のみで且つＸ方向の長さも短いことから、長辺の方向に対して略垂直に交わるように片手のいずれかの指を表示面に接触させていると考える。この例では、グループの数が１個で且つ図７（ｂ）に示す検出ブロックの並び方の場合に、使用者が、表示部を横長にした状態で、片手（右手又は左手）で把持していると判定する。
【００５３】
図７（ｃ）に示す例では、使用者が、一方の手を表示面の一方の短辺に接触させ、他方の手を表示面の他方の短辺に接触させるように把持している。このとき、２個のグループが検出される。各グループの構成としては、Ｙ方向に２個並んだ検出ブロックのみで構成されたグループである。ここでは、検出ブロックの並びがＹ方向のみで且つＹ方向の長さも短いことから、短辺の方向に対して略垂直に交わるように指を表示面に接触させていると考える。この例では、グループの数が２個で且つ図７（ｃ）に示す検出ブロックの並び方の場合に、使用者が、表示部を横長にした状態で、両手で把持していると判定する。
【００５４】
図７（ｄ）に示す例では、使用者が、一方の手を表示面の一方の長辺に接触させ、他方の手を表示面の他方の長辺に接触させるように把持している。このとき、２個のグループが検出される。各グループの構成としては、Ｘ方向に２個並んだ検出ブロックのみで構成されたグループである。ここでは、検出ブロックの並びがＸ方向のみで且つＸ方向の長さも短いことから、長辺の方向に対して略垂直に交わるように指を表示面に接触させていると考える。この例では、グループの数が２個で且つ図７（ｄ）に示す検出ブロックの並び方の場合に、使用者が、表示部を縦長にした状態で、両手で把持していると判定する。
【００５５】
図８は、接触が検出される領域のパターンを示すものである。各図には、タッチされている領域と、そのときのグループとが示されている。なお、図中、撮像装置は図示せず省略しており、表示部５４と検出ブロックＡの位置のみを示している。図８では、何らかの接触が検出されたものの、把持状態を判定できないパターンを示している。
【００５６】
図８（ａ）に示す例では、３個のグループが検出されている。このようにグループが３個以上検出された場合には、使用者が片手又は両手で把持しているか不明である。この場合には、把持状態を判定できない。
【００５７】
図８（ｂ）に示す例では、１個のグループが検出され、このグループが、表示面のＸ方向に３個並んだ検出ブロックとＹ方向に３個並んだ検出ブロックとで構成されている。このようにグループを構成する検出ブロックの並び方がＸ方向とＹ方向との長さがいずれも等しく、手の向きが不明である。この場合には、把持状態を判定できない。
【００５８】
図８（ｃ）に示す例では、２個のグループが検出されている。２個のグループのうち１個が、表示面のＸ方向に２個並んだ検出ブロックとＹ方向に３個並んだ検出ブロックとで構成され、残りの１個がＸ方向に３個並んだ検出ブロックとＹ方向に２個並んだ検出ブロックとで構成されている。このように各グループを構成する検出ブロックの並びのＸ方向及びＹ方向の長さが、グループごとに異なっているため手の向きが不明である。この場合には、把持状態を判定できない。
【００５９】
図８（ｄ）に示す例では、２個のグループが検出されている。２個のグループのうち１個が、隅部を含み且つ表示面のＸ方向に２個並んだ検出ブロックとＹ方向に３個並んだ検出ブロックとで構成され、残りの１個が隅部を含まず且つＹ方向に２個のみ並んだ検出ブロックとで構成されている。このようにグループを構成する検出ブロックの並びが隅部を含むものと含まないものが  混在しているため、手の向きが不明である。この場合には、把持状態を判定できない。
【００６０】
表示制御部は、図６及び図７に示すパターンのように、把持状態を判定できた場合には、表示面を縦長にした状態又は表示面を横長にした状態に対応するように表示部の入力部の表示を制御する。入力部の表示を制御とは、表示面を縦長にした状態又は表示面を横長にした状態に対応するように入力部の表示の向きを変えることを含む。例えば、把持状態の判定前に表示面を縦長にした状態に合わせた入力部の表示であって、その後、表示面を横長にした状態であると判定された場合には、入力部の表示の略９０°回転させて表示する。把持状態の判定前に表示面を横長にした状態に合わせた入力部の表示であって、その後、表示面を縦長にした状態であると判定された場合には、入力部の表示の略９０°回転させて表示する。こうすることで、使用者は、自身の把持状態に応じて表示部の入力部の表示が自動的に変更されるため、その後、違和感なくタッチパネルを用いた入力などの操作を行うことが可能となる。
【００６１】
表示制御部は、図８に示すパターンのように、把持状態を判定できない場合には、表示部の入力部の表示を変更することなく、現状の表示設定を保持する。
【００６２】
次に、図９のフロー図に基づいて、表示処理方法の手順を説明する。以下の表示処理方法の説明では、既に説明した表示装置を備える撮像装置の構成例に基づいて説明する。
【００６３】
最初に、タッチパネルへの接触の有無を検出する（ステップＳ１）。この検出は、タッチパネルを起動させている間、常時又は断続的に行ってもよい。
【００６４】
タッチパネルへの接触した場合には、表示面の周縁部の検出ブロックによる接触の検出あったか否かを判断する（ステップＳ２）。検出ブロックへの接触が検出されなかった場合には、把持状態の判定を行わず、手順を終了する（ステップＳ１０）。
【００６５】
検出ブロックによる接触の検出あった場合には、接触を検出した検出ブロックのうち、連続して並んでいる複数の検出ブロックを１個のグループとする（ステップＳ３）。
【００６６】
そして、グループの数に応じて、使用者が片手、両手のいずれで把持しているのかを判定する。ここでは、グループが１個の場合には、使用者が片手で把持している状態と判定する（ステップＳ５）。グループが２個の場合には、使用者が両手で把持している状態と判定する（ステップＳ６）。グループが３個以上の場合には、検出が無効であると判定する（ステップＳ１０）。
【００６７】
片手で把持している状態と判定した場合、そのグループを構成する検出ブロックのうち隅部の位置に相当するものがあるか否かを判別し（ステップＳ７）、ない場合には、それら検出ブロックの並びがＸ方向に長いかＹ方向に長いかを判別する（ステップＳ９）。検出ブロックの並びがＹ方向に長い場合は、図７（ａ）のパターンに相当し、表示面を縦長にした状態で且つ片手で把持している状態と判定する（ステップＳ１４）。検出ブロックの並びがＸ方向に長い場合は、図７（ｂ）のパターンに相当し、表示面を横長にした状態で且つ片手で把持している状態と判定する（ステップＳ１３）。
【００６８】
ステップＳ６において両手で把持している状態と判定した場合、各グループを構成する検出ブロックに隅部の位置に相当するものが含まれるか否かを判別し（ステップＳ８）、含むものと含まないものが混在しているときには（図８（ｄ）のパターン参照）、把持状態の判定ができないものとして手順を終了する（ステップＳ１０）。
【００６９】
一方で、全てのグループで隅部の位置に相当する検出ブロックが含まれるとき、及び、全てのグループで隅部の位置に相当する検出ブロックが含まれないときには、次にステップＳ１１に進み、各グループを構成する検出ブロックの並び方で判別を行う。ステップＳ１１において検出ブロックの並び方が、Ｘ方向に並んだ検出ブロックの数がＹ方向に並んだ検出ブロックの数より大きい場合は、図６（ｄ）のパターンに相当し、表示面を縦長にした状態で且つ両手で把持している状態と判定する（ステップＳ１５）。検出ブロックの並び方が、Ｙ方向に並んだ検出ブロックの数がＸ方向に並んだ検出ブロックの数より大きいか否かを判別し（ステップＳ１２）、ＹＥＳの場合は、図６（ａ）のパターンに相当し、表示面を横長にした状態で且つ両手で把持している状態と判定する（ステップＳ１６）。Ｙ方向に並んだ検出ブロックの数とＸ方向に並んだ検出ブロックの数とが等しい場合には、把持状態の判定ができないものとして手順を終了する（ステップＳ１０）。
【００７０】
片手又は両手の判定、及び、表示面を横長にした状態又は縦長にした状態の判定が終了すると、これら判定に応じて表示面の入力部の表示を変更する（ステップＳ１７）。なお、把持状態の判定ができなかった場合には、現在設定されている入力部の表示を保持したままで手順を終了する。
【００７１】
図１０は、把持状態に対応した入力部の表示のパターンを例示したものである。図１０（ａ）では、表示部５４の表示面を縦長にした状態で且つ両手で把持した状態のときの入力部の表示の例が示されている。このような入力部の表示は、例えば図６（ｄ）に示すパターンのような把持状態が判定された場合に、設定される。
【００７２】
図１０（ｂ）では、表示部５４の表示面を縦長にした状態で且つ右手のみで把持した状態のときの入力部の表示の例が示されている。このような入力部の表示は、例えば図６（ｅ）に示すパターンのような把持状態が判定された場合に、設定される。
【００７３】
図１０（ｃ）では、表示部５４の表示面を縦長にした状態で且つ左手のみで把持した状態のときの入力部の表示の例が示されている。このような入力部の表示は、例えば図６（ｆ）に示すパターンのような把持状態が判定された場合に、設定される。
【００７４】
図１０（ｄ）では、表示部５４の表示面を横長にした状態で且つ両手で把持した状態のときの入力部の表示の例が示されている。このような入力部の表示は、例えば図６（ａ）に示すパターンのような把持状態が判定された場合に、設定される。
【００７５】
図１０（ｅ）では、表示部５４の表示面を横長にした状態で且つ右手のみで把持した状態のときの入力部の表示の例が示されている。このような入力部の表示は、例えば図６（ｂ）に示すパターンのような把持状態が判定された場合に、設定される。
【００７６】
図１０（ｆ）では、表示部５４の表示面を横長にした状態で且つ左手のみで把持した状態のときの入力部の表示の例が示されている。このような入力部の表示は、例えば図６（ｃ）に示すパターンのような把持状態が判定された場合に、設定される。
【００７７】
図１０（ａ），（ｂ），（ｃ）に示す例のように、表示面を縦長にした状態に合わせて入力部を表示する表示設定を縦長表示モードとする。また、図１０（ｄ），（ｅ），（ｆ）に示す例のように、表示面を横長にした状態に合わせて入力部を表示する表示設定を横長表示モードとする。ここで、表示面を第１の方向と該第１の方向に対して垂直な第２の方向とで規定した場合には、表示面の第１の方向を縦にした状態で入力部を表示する第１表示モードとし、表示面の第１の方向を横にした状態で入力部を表示する第２表示モードとしてもよい。
【００７８】
図１０に示すように、把持している手の近くに使用頻度が高い入力部が表示されることが好ましい。例えば、図１０の例では、使用頻度の高い「レリーズ」の入力部が手の近くに配置される。また、全ての入力部が把持している手の近くに表示される。このとき、表示制御部は、入力部の表示を変更する際に、同時に、グループを構成する検出ブロックの位置情報に基づいて、入力部を表示させる位置をグループの位置に近づけるように表示を変更する処理を実行する。
【００７９】
また、表示制御部は、表示部の検出ブロックが設けられている位置を除く領域に入力部を表示することが好ましい。こうすれば、使用者が入力部をタッチする動作を検出ブロックが検出することに起因して、使用者の意図しない把持状態の判定が実行されることを防止でき、操作性がより一層向上する。
【００８０】
さらに、検出ブロックによる検出時に、表示部の検出ブロックが設けられている位置では、タッチパネルによる入力を禁止することが好ましい。こうすれば、タッチパネルの入力を検出ブロックへの接触として検出されてしまうことを回避でき、操作性がより一層向上する。タッチパネルによる入力を禁止する制御は、表示制御部が行ってもよく、ＣＰＵ２０やその他によって制御してもよい。
【００８１】
表示制御部が、表示部を縦長表示モード又は横長表示モードに変更した後、次の変更までの間、表示設定を保持する機能を有していることが好ましい。こうすれば、使用者の意図に反して把持状態の判定が頻繁に実行されることを防止できるため、操作性がより一層向上する。
【００８２】
上記の表示装置又は表示処理方法の手順によれば、表示面の周縁部に設けられた複数の検出ブロックが接触を検出し、接触を検出した検出ブロックからなるグループの数と検出ブロックの並び方に応じて、表示面がどのように把持されているかを判定できる。検出ブロックからなるグループの数と検出ブロックの並び方に基づくと、略長方形の表示面のどこの縁部にどのような領域で接触が行われているかがわかることから、使用者の手指の把持のパターンと対応させることで、把持状態を判定できる。このとき、グループの数に基づいて、使用者が片手で把持しているのか両手で把持しているのかを判定できる。また、検出ブロックの並び方に基づいて、検出ブロックが並んでいる方向に手指の接触している領域が延びているとすれば、その形状などから接触している手が右手又は左手かを判定できる。判定された把持状態に基づいて、表示面に表示される入力部の向きを縦長表示モード又は横長表示モードに設定することができる。こうすれば、使用者は、自身で把持する方の右左などを予め設定しておく必要がなく、また、両手での把持状態についても適正に検出されるため、把持状態に応じて自動的に表示面の入力部が設定される。したがって、表示装置を取り扱う際の操作性が優れている。
【００８３】
図１１は、入力部の表示の変形例を示している。図１１（ａ）は、縦長表示モードの入力部の表示の変形例であり、図１１（ｂ）は、横長表示モードの入力部の表示の変形例である。使用者が両手で把持している状態と判定した場合に、図１１に示すように、入力部を、両手のそれぞれの位置の近傍に表示することが好ましい。このとき、表示制御部は、入力部の表示を変更する際に、２個のグループそれぞれを構成する検出ブロックの位置情報に基づいて、同じ入力部を２個のグループのそれぞれに位置の近傍に表示させる処理を実行する。こうすれば使用者は、両手のどちらの手でも同じ入力を実行するために入力部をタッチすることができ、操作性が向上する。このとき、各入力部は、それぞれの近傍に位置する手の近くに使用頻度が高い項目を表示する入力部が表示されることが好ましい。
【００８４】
上記のように、把持状態の判定に応じて入力部の表示を設定した後、入力部における入力検出の対象となる基準（以下、入力判定基準）を変更してもよい。入力判定基準とは、入力部において検出した使用者の手の接触を入力として判定するための基準である。例えば、通常では、入力部に接触が検出されるとそのまま入力として判定される。入力部への接触には単なる接触だけでなく、例えば、表示面の他の領域に接触している手を接触させたままの状態で移動させる、所謂、スライドや、入力部の同じ領域を複数回連続して手で接触さえる、所謂、タップがある。しかし、把持状態に応じて、入力部に手を接触させる動作を変えた方が使用者にとって操作性が良い場合がある。そこで、上記の把持状態の判定に応じて入力判定基準を変更することで、使用者は把持状態に適した入力方法で入力部への入力を行うことができ、操作性が良くなる。
【００８５】
入力判定の変更は、例えば、表示制御部６０やＣＰＵ２０によって、把持状態の判定に応じて入力判定基準を変更する処理が実行される。または、使用者が予め把持状態の判定に応じて入力判定基準を設定してもよく、この場合、把持状態の判定に応じて予め設定された入力判定基準に変更する。
【００８６】
図１２は、検出した把持状態に応じて入力判定基準を変更する例を示している。図１２（ａ）は、表示部５４の表示面を横長にし、右手で把持している状態と判定した場合である。この場合には、撮像装置１０の全体が、表示面と同様に横長となると考えると、縦長に比べて把持している右手により大きな負荷がかかる。このため、把持している右手で入力部に手を接触させる場合には、表示面から瞬間的に手を離してしまうタップの動作よりも、接触させている手をそのまま入力部の所望の位置までスライドさせる動作のように、所定時間以上の接触動作（長押し）によって入力を検出した方が使用者にとって使い勝手が良い。そこで、表示面を横長にし、右手で把持している状態と判定した場合には、入力判定をスライド等の長押しで入力を検出するように入力判定基準を変更する。
【００８７】
図１２（ｂ）は、表示部５４の表示面を縦長にし、右手で把持している状態と判定した場合である。この場合には、撮像装置１０の全体が、表示面と同様に縦長となると考えると、横長に比べて把持している右手にかかる負荷が小さくなる。このため、把持している右手で入力部に手を接触させる場合に、表示面から瞬間的に手を離してしまうタッチの動作が容易に行える。そこで、表示面を縦長にし、右手で把持している状態と判定した場合には、入力判定をタップ等の動作で入力を検出するように入力判定基準を変更する。
【００８８】
なお、どのような把持状態のときにどのような入力判定基準とするかは、適宜変更可能である。
【００８９】
本明細書には、以下の事項が開示されている。
【００９０】
（１）略長方形の表示面を有する表示部と、
前記表示面への接触を検出するタッチパネルと
前記表示面に前記タッチパネルによって入力が可能な入力部を表示する表示制御部と、
前記表示面の周縁部に沿って複数並べて設けられた検出ブロックと、を備え、
前記表示制御部が、前記検出ブロックによって接触を検出した際に、連続して並んでいる複数の前記検出ブロックを１個のグループとし、前記グループの数と、前記グループを構成する複数の前記検出ブロックの並び方に応じて、前記表示面を縦長にした状態で前記入力部を表示する縦長表示モード、又は、前記表示面を横長にした状態で前記入力部を表示する横長表示モードに設定する表示装置。
（２）上記（１）に記載の表示装置であって、
前記表示制御部が、前記入力部の位置を前記グループの位置に近づける表示装置。
（３）上記（１）又は（２）に記載の表示装置であって、
前記表示制御部が、前記表示部の前記検出ブロックが設けられている位置を除く領域に前記入力部を表示する表示装置。
（４）上記（１）又は（２）に記載の表示装置であって、
前記検出ブロックによる検出時に、前記表示部の前記検出ブロックが設けられている位置では、前記タッチパネルによる入力を禁止する表示装置。
（５）上記（１）から（４）のいずれか１つに記載の表示装置であって、
前記グループを構成する複数の検出ブロックの、前記表示部の第１の方向に並んでいる数と、前記第１の方向に垂直な第２の方向に並んでいる数とに基づいて使用者の把持している手の状態を判定する表示装置。
（６）上記（１）から（５）のいずれか１つに記載の表示装置であって、
前記グループが１個の場合には、使用者が片手で把持している状態と判定し、前記グループが２個の場合には、使用者が両手で把持している状態と判定し、前記グループが３個以上の場合には、検出が無効であると判定する表示装置。
（７）上記（６）に記載の表示装置であって、
使用者が両手で把持している状態と判定した場合に、同じ前記入力部を、２個のグループのそれぞれの位置の近傍に表示する表示装置。
（８）上記（１）から（７）のいずれか１つに記載の表示装置であって、
前記表示制御部が、前記表示部を前記縦長表示モード又は前記横長表示モードに変更した後、次の変更までの間、表示設定を保持する表示装置。
（９）上記（１）から（８）のいずれか１つに記載の表示装置であって、
前記グループの数と、前記グループを構成する複数の前記検出ブロックの並び方に応じて、使用者の把持状態を判定し、この判定に基づいて、前記入力部おける入力検出の対象となる基準を変更する表示装置。
（１０）略長方形の表示面を有する表示部と、
前記表示面への接触を検出するタッチパネルと
前記表示面に前記タッチパネルによって入力が可能な入力部を表示する表示制御部と、
前記表示面の周縁部に沿って複数並べて設けられた検出ブロックと、を備えた表示装置の表示処理方法であって、
前記検出ブロックによって接触を検出した際に、連続して並んでいる複数の前記検出ブロックを１つのグループとし、前記グループの数と、前記グループを構成する複数の前記検出ブロックの並び方に応じて、前記表示面を縦長にした状態で前記入力部を表示する縦長表示モード、又は、前記表示面を横長にした状態で前記入力部を表示する横長表示モードに設定する表示処理方法。
（１１）上記（１０）に記載の表示処理方法であって、
前記表示制御部が、前記入力部の位置を前記グループの位置に近づける表示処理方法。
（１２）上記（１０）又は（１１）に記載の表示処理方法であって、
前記表示制御部が、前記表示部の前記検出ブロックが設けられている位置を除く領域に前記入力部を表示する表示処理方法。
（１３）上記（１０）から（１２）のいずれか１つに記載の表示処理方法であって、
前記検出ブロックによる検出時に、前記表示部の前記検出ブロックが設けられている位置では、前記タッチパネルによる入力を禁止する表示処理方法。
（１４）上記（１０）から（１３）のいずれか１つに記載の表示処理方法であって、
前記グループを構成する複数の検出ブロックの、前記表示部の第１の方向に並んでいる数と、前記第１の方向に垂直な第２の方向に並んでいる数とに基づいて使用者の把持している手の状態を判定する表示処理方法。
（１５）上記（１０）から（１４）のいずれか１つに記載の表示処理方法であって、
前記グループが１個の場合には、使用者が片手で把持している状態と判定し、前記グループが２個の場合には、使用者が両手で把持している状態と判定し、前記グループが３個以上の場合には、検出が無効であると判定する表示処理方法。
（１６）上記（１５）に記載の表示処理方法であって、
使用者が両手で把持している状態と判定した場合に、同じ前記入力部を、２個のグループのそれぞれの位置の近傍に表示する表示処理方法。
（１７）上記（１０）から（１６）のいずれか１つに記載の表示処理方法であって、
前記表示制御部が、前記表示部を前記縦長表示モード又は前記横長表示モードに変更した後、次の変更までの間、表示設定を保持する表示処理方法。
（１８）上記（１０）から（１７）のいずれか１つに記載の表示処理方法であって、
前記グループの数と、前記グループを構成する複数の前記検出ブロックの並び方に応じて、使用者の把持状態を判定し、この判定に基づいて、前記入力部おける入力検出の対象となる基準を変更する表示処理方法。
（１９）上記（１）から（９）のいずれか１つに記載の表示装置を備えた撮像装置。
【符号の説明】
【００９１】
１０    撮像装置
５４    表示部
Ａ    検出ブロック
【図１】
2010213169.tif 000003
【図２】
2010213169.tif 000004
【図３】
2010213169.tif 000005
【図４】
2010213169.tif 000006
【図５】
2010213169.tif 000007
【図６】
2010213169.tif 000008
【図７】
2010213169.tif 000009
【図８】
2010213169.tif 000010
【図９】
2010213169.tif 000011
【図１０】
2010213169.tif 000012
【図１１】
2010213169.tif 000013
【図１２】
2010213169.tif 000014